(57)【特許請求の範囲】
【請求項１】
単層に配設された縦糸（６）と、同じく単層に配設された横糸（７）とで形成された織物構造からなり、前記織物構造が、第１の横糸が主平面を規定する第２の横糸の上又は下に配置されて前記織物構造に突起を形成するように構成された一時的地面カバーにおいて、前記織物構造が、当該構造の少なくとも１つの面上の前記織物構造の幅の少なくとも一部分上に配設された平糸（８）を含み、前記平糸（８）のそれぞれが、前記織物構造面の突起の端部において横糸（７）により固定されることを特徴とするカバー。
【請求項２】
前記平糸（８）のそれぞれが、前記織物構造の最表部の横糸（９）のみにより固定されることを特徴とする請求項１に記載のカバー。
【請求項３】
前記平糸（８）が相互に平行であり間隔がとられていることを特徴とする請求項１または２に記載のカバー。
【請求項４】
前記平糸（８）のそれぞれが、２箇所の糸が浮く部分の間の前記織物構造に少なくとも部分的に押圧されることを特徴とする請求項１から３のいずれか１項に記載のカバー。
【請求項５】
前記平糸（８）が中密または中空な横方向断面を有することを特徴とする請求項１から４のいずれか１項に記載のカバー。
【請求項６】
ｎが８以上であるとき、前記平糸（８）が前記織物構造のｎ本の横糸（７）毎に固定されることを特徴とする請求項１から５のいずれか１項に記載のカバー。
【請求項７】
前記平糸（８）が、案内となる２本の縦糸（６）の間に挿入され、前記平糸（８）が前記縦糸（６）の直径以下の高さを有することを特徴とする請求項１から６のいずれか１項に記載のカバー。
【請求項８】
横糸（７）の直径が０．３ｍｍから２ｍｍであることを特徴とする請求項１から７のいずれか１項に記載のカバー。
【請求項９】
縦糸（６）の直径が横糸（７）の直径よりも小さいことを特徴とする請求項８に記載のカバー。
【請求項１０】
前記平糸（８）が、ポリエステル、ポリアミド、ポリプロピレン、ポリエチレン、生分解性または酸化生分解性プラスチックを含む群の中から選択された材料で作製されることを特徴とする請求項１から９のいずれか１項に記載のカバー。
【請求項１１】
前記平糸（８）が、情報伝達媒体として使用するための少なくとも１つの印刷面を含むことを特徴とする請求項１から１０のいずれか１項に記載のカバー。
【請求項１２】
前記平糸（８）が、外部からの作用から単数または複数の印刷面を保護するための少なくとも１つの保護層を含むことを特徴とする請求項１１に記載のカバー。
【請求項１３】
前記平糸（８）のうちの少なくとも何本かが、前記カバー上を移動する車両から発せられる光を反射し反射誘導を形成するための高反射被覆を含むことを特徴とする請求項１から１０のいずれか１項に記載のカバー。
【請求項１４】
前記平糸（８）に抗菌剤が塗布されることを特徴とする請求項１から１３のいずれか１項に記載のカバー。
【請求項１５】
縦糸（６）の層と横糸（７）の層とを備える補助織物構造を含み、前記織物構造が前記補助織物構造の上に重ねられ、これら２つの織物構造間の結合が、両構造間のところどころに縦糸（６）または横糸（７）の方向に向いた管状ポケットを設けるようにして行われ、前記ポケットが、種々の目的のために加えられた要素の収納場所として用いられることを特徴とする請求項１から１４のいずれか１項に記載のカバー。
【請求項１６】
前記平糸（８）のうちの少なくとも何本かが信号を送信および／または受信することができることを特徴とする請求項１から１５のいずれか１項に記載のカバー。
【請求項１７】
砂または小石が多い地面または積雪地面上の少なくとも一時的走行用としての請求項１から１６のいずれか１項に記載のカバーの使用。
【発明の詳細な説明】
【技術分野】
【０００１】
本発明は砂または小石が多い地面上の人および／または車両の移動を可能あるいは容易にするための一時的地面カバーに関するものである。
【背景技術】
【０００２】
このタイプの一時的地面カバー構造は既知のものであり、そのような構造はたとえば車両の通行ができるようにするために地面の表面に直接展開させることができる。
【０００３】
図１は先行技術によるそのようなカバー構造の部分断面略図である。本出願人が特許文献１において記述したこの構造は、単層に配設されたモノフィラメントタイプの横糸２と、同じく単層に配設された縦糸３とで形成された織物構造１で構成される。
【０００４】
織物構造の織目は、好ましくは行と列の交差部のうちのほぼ半数の交差部において各縦糸３が横糸２と交差するような織目であり、残りの交差部において縦糸３を残した結果、各縦糸３は、糸の弛緩領域５が続く少なくとも１つの単純な密織領域を得られる。
【０００５】
密な交差領域４と縦糸が機能しない領域５とを交互に配設することにより、縦糸３の緊密化が生じ、布地の両面にリブ入りのサッカー地が生じる。
【０００６】
カバー構造の表面を移動する車両の駆動輪またはキャタピラはこれらの凹凸への良好なグリップを有するので、これらの車両に対しより高い移動速度が付与される。
【０００７】
またこれらの凹凸により、このようにして被覆された地面に対して構造そのものも良好に固定される。
【０００８】
こうした固定を、被覆する地面の断面形状に適合することができるカバー構造の柔軟性に組み合わせることにより、構造の表面を走行する車両の重量による構造の移動および轍の形成を防ぐことができる。
【０００９】
より一般的には、そのようなカバー構造を使用することにより、歩行または車両の通行にともなう侵食から地面を保護することができる。
【００１０】
このカバー構造は低密着性地面または不安定な地面上の車両の走行にとってすぐれた結果をもたらすものであるが、さらに改良する余地がある。
【００１１】
事実、この構造の大きな凹凸により不均等な表面が形成され、それがこの構造の硬直性を組み合わされるとこの構造の表面上の裸足歩行が困難になることを確認した。
【００１２】
場合によっては、そのような裸足による歩行により足の挫傷をきたすことがある。
【００１３】
また、これらの構造の凹凸および硬直性を不快に感じる海水浴者がこのような構造に対する愛着を失い、直接、砂浜の上を移動する方を好むというような場合もみられる。
【００１４】
したがって、歩行者の裸足による移動だけでなくベビーカーのように小型の車輪を具備する車両の移動も容易にするようこれらのカバー構造を適合させることが望ましいと思われる。実際、このような車両はカバー構造の表面の凹凸に影響されやすい。
【００１５】
またこれらのカバー構造は完全な排水を確保するため開口度が非常に高い。したがってその表面にグラフやメッセージを印刷することができない。
【００１６】
ところで、スポーツイベントや販売促進イベントの際にはこれらの構造を情報提供媒体または宣伝媒体として使うことは有益なことである。
【００１７】
最後に、これらのカバー構造が白色である場合には雪が積もった地面と同化したり、闇の中を移動する車両からはほとんど見えないというケースが生じることがある。
【００１８】
そのような地面カバー構造への車両の噛み合い不良またはその構造からの脱落のリスクはありうることであるため、車両は絶えずスタックする危険をはらんでいる。
【００１９】
その場合、地面カバー構造が画定する単数または複数の車線を標識で示すことが必要になるが、それには追加の手段および作業者の動員が必要である。
【００２０】
したがって、自身の両側面端を示す独自の標識を組み込み悪走行条件下でも高速走行を可能にするような地面カバー構造を利用できるようにすることが有利である。
【特許文献１】特許出願ＷＯ９５／２６４３５
【発明の開示】
【発明が解決しようとする課題】
【００２１】
本発明の目的は、設計よび使用方法が単純明快であり、軽量かつ柔軟性を有し、さらに地面にカバーがきわめて良好に固定される状態を保ちつつ裸足による歩行も可能にする地面カバー構造を提供することである。
【００２２】
本発明の別の目的は、ビーチに直接敷くことが可能であって、裸足の人の歩行だけでなく、身体障害者用の車椅子、タグボート、水上バイクなどの車両も可能にするカバー構造を提供することである。
【課題を解決するための手段】
【００２３】
この目的のため、本発明は、特に砂、泥、または小石の多い地面上を走行するためのものであり、単層に配設された縦糸と、同じく単層に配設された横糸とで形成された織物構造を含む一時的地面カバーにおいて、前記織物構造の織目は、各縦糸が、好ましくかつごく大雑把には行と列の交差部のうちの半数の交差部で横糸と交差するような織目であり、残りの交差部において縦糸を残すことで、各縦糸が、糸の弛緩領域が続く少なくとも１つの単純な密織領域を得られ、前記異なる領域を交互に配設することにより、横糸の緊密化が生じ、このようにして作製された生地に大きな凹凸が生じるようなカバーに関するものである。
【００２４】
本発明によれば、このカバーは、面のうちの少なくとも１つの面上の前記織物構造の幅の少なくとも一部分上に配設された平糸を含み、前記平糸のそれぞれは、織物構造の前記面の突起の端部にセットされた横糸により等間隔または不等間隔に固定される。
【００２５】
この「固定される」とは原構造体と平糸が結合することを意味する。本発明の地面カバーの織目の観点からみればそれは糸が沈む部分になる。
【００２６】
「平糸」とは、ノズルから押し出され、圧延または他の加工を受け、断面が平坦であり幅方向においてほぼ一定であり、楕円形、正方形、長方形、長円形、異形正方形または長方形、すなわち対向する２つの辺が凸形状であり、残りの２つの辺が等しく平行であるような製品を指す。
【００２７】
また、これらの平糸は中空であってたとえば扁平管状断面を有していてもよい。
【００２８】
平糸のこの中空領域は、たとえば加熱素子など単数または複数の長形の物体を収納できる収納部分となる。したがってこれらの加熱素子を外部のエネルギー発生源に接続する接続することにより、一実施例として、一時的地表カバーによって画定された通路上に存在する氷または雪を溶かすことが可能になる。加熱素子の温度範囲は、カバーを構成する糸を損傷するおそれのある温度よりも下に位置することは言うまでもない。よって最高温度はたとえば８０℃未満である。
【００２９】
加熱素子によって発生する熱放射の損失を最小限にするために、平糸は金属材料など熱伝導率が良好な材質で作製することが好ましい。
【００３０】
地面カバーの平糸のうちの少なくとも数本を、信号を送信および／または受信する平糸とすることができる。したがって、専ら一例としては、電磁波の受信、さらにはそのような波の送信を行うことができるアンテナなどがこれに該当する。これらの平糸の端部を同軸ケーブルなどの信号送信ラインに接続することにより、アンテナで受信した信号を受信器の入力部に送ること、あるいは反対方向に、外部送信器から供給され信号を地面カバーに送ることができる。
【００３１】
またこれらの平糸は、異なる周波数帯を発信するアンテナ網を形成するよう寸法が異なっていてもよい。
【００３２】
こうして、たとえば危険な気象条件下で飛行しているヘリコプタに向けて、本発明の地面カバーの地上位置検出信号送信するためにこれらの平糸を使用することができる。パイロットは、カバーから発信されたこれらの信号により、視界が悪くても離れたところから地面カバーの位置を求めることができ、その表面に着陸することができる。
【００３３】
「好ましくかつごく大雑把には」とは、各縦糸の浮く部分と沈む部分の割合が同等であることが絶対ではなく、たとえば１０％から１５％、さらにはそれ以上異なっていてもよいことを意味するが、厳密な意味での同等から離れれば離れるほど、作業に必要な調整も多くなる。
【００３４】
平糸の長さは織物構造の長さにほぼ等しいかそれを下回る長さとすることができる。ただし平糸の長さは織物構造の織目の３回の展開分よりも長い。
【００３５】
したがってより一般的には、本発明は、単層に配設された縦糸と、同じく単層に配設された横糸とで形成された織物構造を含み、前記織物構造が、第１の横糸が、主平面を規定する第２の横糸の上又は下に配置されて前記織物構造に突起を形成するように構成された一時的地面カバーであって、面のうちの少なくとも１つの面上の前記織物構造の幅の少なくとも一部分上に配設された平糸を含み、前記平糸のそれぞれが、織物構造の前記面の突起の端部にセットされた横糸により等間隔または不等間隔に固定されることを特徴とするカバーに関するものである。
【００３６】
この一時的地表カバーの種々の特定の実施形態においては、それぞれの実施形態が特定の長所を有しかつ多数の技術的組み合せが可能である
−  前記平糸のそれぞれが前記織物構造の最表部の横糸のみにより固定される。
こうすることにより織物構造への平糸の挿入を回避することができ、表面の凹凸を最適な方法で覆い、平坦な表面を形成することができる。
もちろん、織物構造の最表部のこれらの横糸は織物構造の突起部全体に対して想定するものではなく、平糸が挿入される突起部のレベルで局所的に想定すべきものである。
−  前記平糸が相互に平行であり間隔がとられている。
この実施形態により水の流れを有利に確保することができ、したがって地面カバーの高い透過性を確保することが可能である。またこの実施形態により粒子（埃、砂粒、土の粒子・・・）も通すことができるので、カバーの表面はほぼきれいな状態に保たれる。
−  平糸が、２箇所の糸が浮く部分の間の前記織物構造に少なくとも部分的に押圧される。
−  ｎが８以上であるとき、平糸が前記織物構造のｎ本の横糸毎に固定される。
有利には、数ｎは織目の１回の展開中に存在する横糸の本数に相当する。
−  平糸が、案内となる２本の縦糸の間に挿入され、平糸が前記縦糸の直径以下の高さを有する。
平糸はこれら２本の縦糸に平行であり、２本の縦糸は、平糸の長さの少なくとも一部分において案内の役割を果たして平糸を締め付ける。
−  平糸が、ポリエステル、ポリアミド、ポリプロピレン、ポリエチレンを含む群の中から選択された材料で作製される。
これらの材料は、このようにして構成された一時的地面カバーに防腐性ならびに紫外線（ＵＶ）劣化耐性を付与する。
有利には、平糸はまた、生分解性プラスチック材料などの生分解性材料、さらには酸化生分解性材料で作製することができる。生分解性プラスチック材料はアミドンベースとすることができる。
カバーはこれらの生分解性または酸化生分解性材料のうちの１つで全体を作製することも、これらの材料の組み合せで作製することも可能であるので、使用する縦糸および横糸の直径、ならびに平糸の厚さに応じても異なるが、数週間または数ヶ月で自己分解する特性を有する。
−  平糸のうちの少なくとも何本かが、カバー上を移動する車両から発せられる光を反射するための高反射被覆を含む。
カバーの側面にこれらの平糸を配設することにより、カバーの表面を走行する車両は、暗闇、霧、にわか雨などの悪条件下でも走行レーンを容易に見出すことができる。
変形形態によれば平糸は発光性とすることができる。
−  前記平糸のうちの少なくとも何本かが信号を送信および／または受信することができる。
【００３７】
本発明は、砂または小石が多い地面または積雪地面上の少なくとも一時的走行用としての上で記述したようなカバーの使用にも関するものである。
【００３８】
これらの平糸が織物構造の表面に存在することにより、テントマットなど変形しやすい表面へのカバーの跡を有利に軽減することができる。
【００３９】
本発明の地面カバーにより、テントタイプの一時的滞在用地面と自然の地面との間にスクリーンが形成されることにより断熱効果ももたらすことができる。
【００４０】
添付の図面を参照することにより本発明をより詳細に記述する。
【発明を実施するための最良の形態】
【００４１】
図２は、本発明の一実施形態による、特に砂、泥、または小石の多い地面上を走行するための一時的地面カバーを示す図である。
【００４２】
このカバーは、単層に配設された縦糸６と、同じく単層に配設された横糸７とで形成された織物構造を含む。これらの縦糸６および横糸７は必要な剛性を織物構造に対し確保するためにモノフィラメントとするのが好ましい。ただし縦糸はモノフィラメントであってもなくてもよい。
【００４３】
横糸７の直径はたとえば０．３ｍｍから２ｍｍとすることができる。縦糸６の直径は横糸７の直径よりも若干小さいことが好ましい。単なる一例として、横糸７の直径が０．８ｍｍの時、縦糸６の直径は０．６５ｍｍとなる。
【００４４】
縦糸６および横糸７は、ポリエステル、ポリアミド、ポリプロピレン、アミドンベースの生分解性プラスチック材料、酸化生分解性プラスチック、ポリエチレンを含む群の中から選択された材料で作製されるのが有利である。
【００４５】
この織物構造の織目は、好ましくかつごく大雑把には行と列の交差部のうちの半数の交差部において各縦糸６が次の横糸７と交差するような織目であり、残りの交差部において縦糸６を残すことで、各縦糸が、糸の弛緩領域が続く少なくとも１つの単純な密織領域を得られ、前記種々の領域を交互に配設することにより、横糸７の緊密化が生じ、このようにして作製された生地に大きな凹凸が生じる。そのような織物構造のより詳細な説明に関しては、特許文献１を参照されたい。
【００４６】
したがってこの一時的地面カバーは、凸部および凹部で形成された横方向リブを有するサッカー構造をその両面に有し、これらの横方向リブにより、このカバー上を移動することになる車両のタイヤおよびキャタピラの噛み合い特性がカバーに付与される。
【００４７】
カバーは、織物構造の幅の一部分上に配設された平糸８をその面のうちの１つに含み、その結果、裸足での歩行に特に適したソフトな形状を有する部分と、車両の走行に適した大きな凹凸を有する別の部分とを作り出す。
【００４８】
各平糸８は、対応する面上で織物構造の最表部の横糸９で固定され、即ち結合され、それにより、織物構造内へのこれらの平糸８の進入を最小限に抑えつつ、織物構造の凹部を最大限に覆うことができる。こうしてカバーは地面への固着特性を保つ。
【００４９】
平糸８を全て、一本の同じ横糸７で固定することも、反対に、接続部をずらすことで表面の柔らかさを向上させるようそれぞれ異なる横糸７で固定することも可能である。
【００５０】
カバーに対し高い透過性を確保するためにこれら平糸８は相互に平行であり間隔がとられている。同時に平糸は織物構造への異物の浸入を制限するバリアを形成している。
【００５１】
平糸８が織物構造上を横方向に移動するのを防ぐために、平糸８の案内となる連続する２本の縦糸６の間にそれぞれ平糸８を入れる。
【００５２】
その場合、これらの平糸８が閉じ込められた状態を維持するよう、平糸８の高さまたは厚さはこれらの縦糸６の直径よりも小さいことが好ましい。
【００５３】
単なる例としては、縦糸６の直径が０．６５ｍｍであるとき、平糸８の直径は０．４２ｍｍとなる。
【００５４】
さらに、平糸８はそれが万一捕捉されてたとえば引っ張りにより大きな応力を受けないよう、２つの糸が浮く部分の間の織物構造に少なくとも部分的に押圧されるよう張力が加えられる。
【００５５】
これらの平糸８は外部で使用することからポリエステルで作製するのが好ましいが、ポリアミド、ポリプロピレン、ポリエチレン、あるいは生分解性または酸化生分解性プラスチックを含む群の中から選択された材料で作製することも可能である。
【００５６】
たとえば砂が多い地面を覆う用途の場合、カバーの製織作業の前に、これらの平糸８には、抗菌剤をあらかじめ塗布することができる。
【００５７】
平糸は情報伝達媒体または広告媒体としても使用することができる。そのため平糸は少なくとも１つの印刷面を含む。
【００５８】
そのようなカバーを作製するために、当業者にとって既知の方法であらかじめ印刷した媒体をたとえば３．５ｍｍの均一幅のテープに切断することができる。これらのテープすなわち平糸８同士を継ぎ合わせ、このようにして継ぎ合わせたテープ８を糸保管システムに巻きつける。
【００５９】
次にこの糸保管システムは織物構造の作製に用いられる織機にセットされる。この織機は独立した縦糸６および横糸７供給システムを含むのが好ましい。織機は織物構造の収縮率と同じ収縮率をもたない糸クロスを受け入れることができる。
【００６０】
印刷されたテープを組み込んで織物構造を作製する。織機は処理ユニットに接続されたセンサを含む。この処理ユニットは挿入する平糸８すなわちテープの長さを決めるためにカッターに制御信号を送信する。こうすることにより、ひとつなぎにしたテープを不適切な場所で切断することによりモチーフを損傷させるということがないようにしている。
【００６１】
平糸８同士の間隔はたとえば３ｍｍから５ｍｍ、±１０％、というように微小であるため、あらかじめ印刷された情報伝達媒体のモチーフが地面カバー上に再現される。
【００６２】
もちろん、要望があった時に広告メッセージまたは情報伝達メッセージを挿入するよう、臨時地面カバーの作製後、別の任意の既知の方法により平糸の印刷を行うことも可能である。
【００６３】
また、外部からの作用から単数または複数の印刷面を保護するために、宣伝メッセージまたは情報伝達メッセージの印刷後、平糸８に少なくとも１つの保護層を設けることができ、その保護層は平糸の外表面のうちの少なくとも１つに配設される。
【００６４】
さらに、上で説明した織物構造を、縦糸クロスおよび横糸クロスを備える補助織物構造に結合することもできる。その場合、織物構造はこの補助織物構造の上に重ねられ、これら２つの織物構造間の結合は、両構造間のところどころに縦糸６または横糸７の方向に向いた管状ポケットを設けるようにして行われる。
【００６５】
ポケットはところどころに設けられ、それら同士は等間隔であってもなくてもよい。ポケットは、種々の目的のために加えられた要素の収納場所として用いることができる。
【００６６】
こうして、製織作業時またはその後、たとえば直径が数十ｍｍの複合材料の棒など長形補剛要素をポケットに収納することができる。
【００６７】
２つの織物構造間のポケットにはたとえば直径２５ｍｍのグラスファイバおよびポリエステル樹脂タイプの棒が収納固定され、これらの棒が挿入された部位の突出性をさらに顕著にしつつ、より高い地耐力をカバーに付与する。
【００６８】
もちろん、補助織物構造の糸の種類および直径は想定する用途に応じて変えることができる。
【００６９】
補助織物構造ならびにこれらの織物構造の結合に関する説明については、本出願人の特許出願ＷＯ９９／４９１１６号を参照されたい。
【００７０】
図３および図４は本発明の第２の実施形態による地面カバーを示す。横糸７、縦糸６および平糸８については上で説明したので、以下では、各平糸８が図１のカバー構造に挿入される方法について説明するに留める。
【００７１】
平糸８は同一であり、１本の横糸７により地面カバーの幅方向に固定され、即ち結合される。各平糸は図１のタイプの織物構造に等間隔で挿入される。
【００７２】
図４は、平糸８が織物構造上を横方向に移動するのを防ぐために、各平糸８がその側面縁部の両側で、この平糸８の案内となる少なくとも1つの縦糸６に囲まれることを特に示している。また平糸８は織物構造に押圧される。
【００７３】
図５は図３の地面カバーの織目を示す図である。従来の方法で示したこの織目は、１０本の縦糸、すなわち１から１０までの糸と、平糸が挿入された織物構造の場合の２６列に対向する２６本の横糸、すなわち１から２６まで、とを含む。１１番目の垂直方向の列は同一の方法で図１の織物構造に挿入された平糸を示す。したがってこの１１番目の列に対向して１１番目の平糸がセットされる。
【００７４】
行と列の交差部においては既知の方法で、浮くように固定された縦糸あるいは平糸を黒色で、残りの交差部の沈むように固定された縦糸あるいは平糸を白色で示してある。
【００７５】
したがって、たとえば図５および図６を見ると、平糸が挿入された織物構造では、１番縦糸は最初の５本の横糸（１番から５番）の上を相次いで通過し（浮くように固定され）、次に６番横糸の下を通過し（沈むように固定され）、再び７番横糸の上を通過し、次に８番横糸の下、次に９番の上、次に１０番から１８番の下、次に１９番の上、２０番の下、２１番の上、２２番下、最後に２３番から２６番の上を通過する。
【００７６】
全体として、１番縦糸は１３回浮くように固定され、１３回沈むように固定されている。
【００７７】
また図６でよくわかるように、１番縦糸は、縦糸が残された領域Ｂが前後に配設された２つの領域Ａ内で、布タイプの単純で密な織目に従って横糸（１番から２６番）と交差している。各領域ＡまたはＢは連続する複数の横糸を覆っている。
【００７８】
その結果、図５の織り方の各縦糸について、（布タイプの織目の）領域Ａと（縦糸が残された）領域Ｂが交互に出現するが、そこで領域Ａおよび領域Ｂの数は縦糸毎に異なっていてもよい。
【００７９】
密な交差領域Ａと、縦糸が作用せずしたがって大きな「かせ」が生じる領域Ｂとを交互に配設することにより、図３および図４に示すような平糸が挿入される織物構造に大きな凹凸が発生する。
【００８０】
平糸は４番横糸によって一回しか固定または結合されないので、地面カバーの織目に空間が生じる。したがって平糸は１番から３番および５番から２６番の横糸の上方を通過する。
【００８１】
図７は本発明の第３の実施形態による地面カバーの断面を示し、図８はこの地面カバーの織目を示す図である。
【００８２】
この地面カバーは、異なる方法で基本織物構造に挿入された２本の平糸１１′および１２′の交互配設を有する。
【００８３】
本発明の地面カバーを得るために作製時に平糸を順次挿入する基本織物構造は、その１回分の織目に２５本の横糸と１０本の縦糸を含む。
【００８４】
したがって地面カバーの織り部分は、基本織物構造の１′番から１０′番までの縦糸が対向して配設される１２個の垂直列と、番号１１′および１２′の２つの平糸とを備える。織り部分は、平糸が挿入された基本構造の場合、２５列に対向して１番から２５番まで２５本の横糸を含む。
【００８５】
図７を見ると、平糸１１′は２回固定され、それが図８では一回分の織目あたり２箇所の糸が沈んだ部分となっていることがわかる。図８によれば、平糸は、最初の３本の横糸（１番から３番）の上を相次いで通過し（浮くように固定され）、次に４番横糸の下を通り（沈むように固定され）、次に５番から１３番の横糸の上を通過し、次に１４番横糸の下を通過し、最後に再度１５番から２５番の横糸の上を通過する。
【００８６】
したがって図７において平糸１１′は横糸４′および１４′により固定される。
【００８７】
図７を見ると、平糸１２′も２回固定されていることがわかるが、これが図８では一回分の織目において２箇所の糸が沈んだ部分となる。図８では、平糸１２′は、最初の１３本の横糸（１番から１３番）の上を相次いで通過し（浮くように固定され）、次に１４番横糸の下を通り（沈むように固定され）、次に１５番から２０番の横糸の上を通過し、次に２１番横糸の下を通過し、最後に再度２２番から２５番の横糸の上を通過する。
【００８８】
その結果、横糸４′と１４′の間において、平糸１２′は水平であり、基本織物構造の凹部を覆い、地面カバーの外側から見た場合にこの領域に平坦な外観を付与している。
【図面の簡単な説明】
【００８９】
【図１】先行技術の部分略図である。
【図２】本発明の第１の実施形態による一時的地面カバーの略図である。
【図３】本発明の第２の実施形態による地面カバーの断面図である。
【図４】それぞれの平糸が図１のカバー構造に挿入される様子を示す図３の地面カバーの拡大図である。
【図５】図３の地面カバーの織目を示す図である。
【図６】横糸、１番縦糸および平糸にまで展開した図５の織目の略図である。
【図７】本発明の第３の実施形態による地面カバーの断面図である。
【図８】図７の地面カバーの織目を示す図である。
【符号の説明】
【００９０】
１      織物構造
２      横糸
３      縦糸
４      密な交差領域
５      糸の弛緩領域
６      縦糸
７      横糸
８      平糸
９      最表部の横糸
１１′、１２′  基本織物構造に挿入された平糸
【図１】
0005502467.tif 000002
【図２】
0005502467.tif 000003
【図３】
0005502467.tif 000004
【図４】
0005502467.tif 000005
【図５】
0005502467.tif 000006
【図６】
0005502467.tif 000007
【図７】
0005502467.tif 000008
【図８】
0005502467.tif 000009